(57)【要約】      （修正有）【課題】手指だけでなく掌でも容易に玩具感覚で回転円板を左右両方向回転させ、一人だけでなく二人でも演奏が可能なカード式オルゴール装置を提供する。【解決手段】一対の回転円板７がオルゴールの駆動軸２の両端に配置され、片側或いは両側の回転円板と駆動軸は一体固定されているが、回転円板に過負荷が加わると、駆動軸と回転円板はスリップして互いに回転可能で、更に、この回転円板を左右どちらかの方向に回しても演奏可能とした。【選択図】図１
0003221974.tif 000002
【実用新案登録請求の範囲】
【請求項１】
一対の回転円板がオルゴールの駆動軸の両端に配置され、片側或いは両側の回転円板と駆動軸は、過負荷防止用のスリップ機構が設けられ、更に、この回転円板を左右どちらかの方向に回しても演奏可能なカード式オルゴール装置。
【考案の詳細な説明】
【技術分野】
【０００１】  本考案は、カード式オルゴールの回転円板を一人だけでなく、二人でも回す事が出来るだけでなく、この回転円板を左右どちらの方向に回転や往復反転運動で、オルゴール演奏が可能な装置に関する。
【背景技術】
【０００２】  複数の穴を設けられたカードをオルゴール本体に通過させる事により演奏させる、カード式オルゴール装置があるが、手動式の場合、このオルゴールは、カードを長くする事に拠り、長時間のオルゴールを楽器を演奏する様に楽しめるものの、長時間に渡ってハンドル回転を継続する必要が有り、手指に大きな負担がかかってしまうという制約がある。【０００３】
【特許文献１】特開平９−１０１７７５
【特許文献２】特開２０１７−１４６５７３
【特許文献３】実案登録３２１３７３９
【考案の概要】
【考案が解決しようとする課題】
【０００４】  特開平９−１０１７７５では、複数の穴を設けられたカードをオルゴール本体に通過させて演奏させるカード式オルゴール装置に関する提案がなされているが、回転力発生手段としてケーシングの外側に突出する軸に連結されたハンドルが使用されているが、演奏している時には、一人でハンドルを握った状態を維持してハンドルを回転し続ける必要がある。更に、特開２０１７−１４６５７３では、パンチカードをモータとベルトで巻取り円筒を回転させて巻取りるオルゴール装置が提案されているが、回転スピードがモータコントローラで調整されるというものの、手回しで演奏するオルゴールの様に、自由自在に演奏スピードを制御する事が出来ないので、オルゴールを楽器の様に演奏する楽しみを味わう事ができない。又実案登録３２１３７３９では、カード式オルゴールにおいて、オルゴールの駆動軸を左右どちら方向に回転させても、オルゴールの演奏が可能な装置が提案されているが、回転力発生手段は、特開平９−１０１７７５と同じハンドルであるので、同様の課題を抱えている。
【課題を解決するための手段】
【０００５】    本考案は、一対の回転円板がオルゴールの駆動軸の両端に配置し、片側或いは両側の回転円板と駆動軸は、過負荷防止用のスリップ機構が設けることで、この回転円板を一人だけでなく二人で回して演奏する事が可能となり、更に、この回転円板を左右どちらかの方向の回転や往復反転運動でも演奏可能なカード式オルゴール装置により、上記の課題の解決を図った。
【考案の効果】
【０００６】    一対つまり二つの回転円板を具えているので、一人が演奏に疲れても、もう一人の人への交代が、演奏を中断することなく出来、更には、同時に二人揃っての演奏が楽しめるだけでなく、回転円板にツマミを摘まんだり、円板の外周を直接手で回したり、回転方法が多様であるので、ハンドルに比べて手指に加わる負担を軽減できる。又、駆動軸と回転円板にはスリップ機能が設けられているので、二人が回転円板をどの様に回転させても安全が保たれる。更に、この回転円板を実案登録３２１３７３９で提案されている一方向回転転換装置付きカード式オルゴールに装着すれば、回転円板の左右どちらの方向の回転や往復反転運動でも演奏が可能であるので、幼児から高齢者、或いはハンドルを握ることが不自由な方でも扱うことが出来き、音楽を演奏しながらのリハビリ用具としての活用や、握り棒を片手で持っての移動が容易なので玩具商品への展開など、新市場での商品開発が可能となる。
【図面の簡単な説明】
【０００７】
【図１】手回しオルゴールの全体斜視図である。
【図２】本考案の実施例の回転円板を分解した斜視図である。
【図３】本考案の実施例の平面図である。
【図４】本考案の実施例の正面図である。
【図５】回転円板の他の実施例の斜視図である。
【考案を実施するための形態】
【０００８】  一方向回転転換装置付きカード式オルゴールが共鳴ボックスの上部に固定され、オルゴールの駆動軸の両端に、スリップ機能を持って固定された一対の回転円板はツマミが設けられており、この回転円板をツマミ或いは外縁部で左右両方向に回す事で、カードが送られオルゴールが演奏される。
【実施例】
【０００９】  以下、添付図に従って実施例を説明する。図１で示すように、４共鳴ボックスは両側を６ａ音抜穴を有する一対の６側板で挟まれており、その４の上部には、１カード式オルゴールが固定されている。１には３カードを送り演奏をする為の２駆動軸が設けられ、その両端には７ａツマミを有する一対の７回転円板が６の側面に外側に沿って装着されるが、７ｂ外縁部一部は６の外側に突出する様に構成され、又、両側６の上部には５握り棒が固定されている。【００１０】  ２と７は８ジョイントで一体結合されているが、図２で示す様に、８は２の両端で固定する為の８ａ穴部を有すると共に、９ａ穴部を持つ９取付板と１０Ｏリング、１１座金が嵌入する８ｂ段差部が設けられ、更にその先端部には１２Ｅリングが装着される８ｃ溝部を有しているので、８と９は同軸上に一体固定されるが、１０の作用に拠り一定以上のトルクが加わるとスリップする様に構成されている。
更に、７の内側には７ｃ逃し穴が設けられているが、図２の右側の透視図で示す様に、１０、１１、１２が７ｃに嵌入し、９と７が密着した状態で一体固定され、この結果、７と２は一定以上のトルクが加わるとスリップする。【００１１】  従って、７を回転させると３が１を通過する事により、オルゴールの演奏をさせると、４の上部に固定されているのでオルゴールの音量・音質が向上するだけでなく、６ａの作用で更に音が外部に放出され拡大される。又、１は左右どちらの方向に回転させても演奏が可能なオルゴールであるが、７が両側に一対で外側に取り付けられているので、二人同時に７ａを摘まんで回転させるだけでなく、７ｂ外縁部を指先や掌でも回す事ができが、二人で回す時のタイミングが合わない場合には、スリップ機能が働くので、オルゴールの演奏に支障をきたす事がなく安全が保証される。【００１２】  図５は７回転円板の他の実施例をしめしているが、７ａの先端部を嵌入させる為の７ｆ穴部を回転中心から離れて複数設けておき、７ａを７ｆに差し替える事で、回転半径が異なるので、演奏スピードをその曲に応じて容易に変更する事が可能となる。又、７の側面の一部に７ｄ凹部を設けておけば、ここに指を入れて７を回したり、外縁部を７ｅ山形部で構成する事で、手指や掌で７を回転させる時の感触を変えられる。
【符号の説明】
【００１３】１    カード式オルゴール
２    駆動軸
３    カード
４    共鳴ボックス
５    握り棒
６    側板
６ａ  音抜穴
７    回転円板
７ａ  ツマミ
７ｂ  外縁部
７ｃ  逃し穴
７ｄ  凹部
７ｅ  山形部
７ｆ  穴部
８    ジョイント
８ａ  穴部
８ｂ  段差部
８ｃ  溝部
９    取付板
９ａ  穴部
１０  Ｏリング
１１  座金
１２  Ｅリング
【図１】
0003221974.tif 000003
【図２】
0003221974.tif 000004
【図３】
0003221974.tif 000005
【図４】
0003221974.tif 000006
【図５】
0003221974.tif 000007
【手続補正書】
【提出日】平成31年4月5日(2019.4.5)
【手続補正１】
【補正対象書類名】実用新案登録請求の範囲
【補正対象項目名】請求項１
【補正方法】変更
【補正の内容】
【請求項１】
一対の回転円板がオルゴールの駆動軸の両端に配置され、片側或いは両側の回転円板と駆動軸は一体固定されているが、回転円板に過負荷が加わると、駆動軸と回転円板は互いに回転可能で、更に、この回転円板を左右どちらかの方向に回しても演奏可能なカード式オルゴール装置。